(57)【要約】【課題】エレベータシステムの機械室に機械を取り付けるための台板を提供する。【解決手段】エレベータシステムの複数の個別のデフレクタシーブを取り付けるためのデフレクタシーブ取り付けブラケットは、天板、底板、及び第１の端部で天板に連結され、反対側の第２の端部で底板に連結された複数の支持板を含む。複数のデフレクタシーブを受けるための複数の開口部は、複数の支持板の隣接する対の支持板の間に画定される。複数の開口部の少なくとも１つの開口部は、別の複数の開口部から垂直方向にオフセット及び水平方向にオフセットされる。【選択図】図２
2019131401.tif 000002
【特許請求の範囲】
【請求項１】
エレベータシステムの複数の個別のデフレクタシーブを取り付けるためのデフレクタシーブ取り付けブラケットであって、
天板と、
底板と、
第１の端部で前記天板に連結され、反対側の第２の端部で前記底板に連結される、複数の支持板と、
前記複数の支持板の隣接する支持板の対の間に画定された前記複数のデフレクタシーブを受けるための複数の開口部とを含み、前記複数の開口部の少なくとも１つの開口部が、前記複数の開口部の別の開口部から垂直にオフセットされ、水平にオフセットされる、前記デフレクタシーブ取り付けブラケット。
【請求項２】
前記少なくとも１つの開口部が、前記複数の開口部の隣接する開口部から垂直方向にオフセットされ、水平方向にオフセットされる、請求項１に記載のデフレクタシーブ取り付けブラケット。
【請求項３】
前記複数の開口部のそれぞれが少しずつずれて配置されている、請求項１に記載のデフレクタシーブ取り付けブラケット。
【請求項４】
前記複数の支持板のそれぞれが、その中に形成された少なくとも１つの溝を含み、前記隣接する対の支持板の前記少なくとも１つの溝が協働して前記複数の開口部を画定する、請求項１に記載のデフレクタシーブ取り付けブラケット。
【請求項５】
前記複数の個別のデフレクタシーブをさらに含み、前記複数の個別のデフレクタシーブのそれぞれが、前記複数の開口部の１つの中に取り付けられる、請求項１に記載のデフレクタシーブ取り付けブラケット。
【請求項６】
前記複数の個別のデフレクタシーブのそれぞれが、軸の周りを回転可能であり、前記複数の個別のデフレクタシーブの前記複数の軸が、実質的に平行である、請求項５に記載のデフレクタシーブ取り付けブラケット。
【請求項７】
前記複数の支持板が突出部を含み、前記天板及び前記底板が、前記突出部を受けるための開口部を含む、請求項１に記載のデフレクタシーブ取り付けブラケット。
【請求項８】
前記突出部が、前記開口部に対して変形し、前記天板及び前記底板に対する、前記複数の支持板の移動を制限する、請求項１に記載のデフレクタシーブ取り付けブラケット。
【請求項９】
前記天板、前記底板、及び前記複数の支持板が、恒久的に固定される、請求項１に記載のデフレクタシーブ取り付けブラケット。
【請求項１０】
前記天板、前記底板、及び前記複数の支持板が、互いに溶接される、請求項９に記載のデフレクタシーブ取り付けブラケット。
【請求項１１】
エレベータシステムの機械室で使用するための支持部材であって、
かご端部及び釣合おもり端部を含む基部であって、前記釣合おもり端部が、前記機械室の壁と実質的に平行に配置され、前記釣合おもり端部が、前記かご端部に対してある角度で配置される、前記基部と、
前記かご端部と概ね平行な向きで前記基部に取り付けられた複数の溝を有する第１のデフレクタシーブであって、第１の回転軸の周りを回転するように構成される、前記第１のデフレクタシーブと、
前記基部に連結されたデフレクタシーブ取り付けブラケットであって、前記デフレクタシーブ取り付けブラケットが、複数の個別の第２のデフレクタシーブを受けるための複数の開口部を画定し、前記複数の開口部が、前記かご端部に対する前記釣合おもり端部の前記角度に対して実質上、相補的に少しずつずれて配置される、前記デフレクタシーブ取り付けブラケットと、
前記デフレクタシーブ取り付けブラケットの前記複数の開口部のそれぞれの中に取り付けられた複数の個別の第２のデフレクタシーブであって、前記複数の個別の第２のデフレクタシーブのそれぞれが、前記第１の回転軸と平行な第２の回転軸の周りを回転するように構成される、前記第２のデフレクタシーブとを含む、前記支持部材。
【請求項１２】
複数の開口部のそれぞれが、前記複数の開口部の隣接する開口部から垂直方向にオフセットされ、水平方向にオフセットされる、請求項１１に記載の支持部材。
【請求項１３】
前記複数の個別の第２のデフレクタシーブのそれぞれが、軸の周りを回転可能であり、前記複数の個別の第２のデフレクタシーブの前記複数の軸が、実質的に平行である、請求項１１に記載の支持部材。
【請求項１４】
前記複数の個別の第２のデフレクタシーブのそれぞれの前記軸が、第１の平面または第１の平面から垂直方向にオフセットされた第２の平面内に配置される、請求項１３に記載の支持部材。
【請求項１５】
前記デフレクタシーブ取り付けブラケットが、
天板と、
底板と、
第１の端部で前記天板に連結され、反対側の第２の端部で前記底板に連結される、複数の支持板と、
前記複数の支持板の隣接する支持板の対の間に画定される、前記複数の個別の第２のデフレクタシーブを受けるための前記複数の開口部とを含む、請求項１１に記載の支持部材。
【請求項１６】
前記複数の支持板のそれぞれが、その中に形成された少なくとも１つの溝を含み、前記隣接する支持板の対に形成された前記少なくとも１つの溝が協働して、前記複数の開口部を画定する、請求項１５に記載の支持部材。
【請求項１７】
前記複数の支持板が突出部を含み、前記天板及び前記底板が、前記突出部を受けるための開口部を含む、請求項１５に記載の支持部材。
【請求項１８】
前記突出部が、前記開口部に対して変形し、前記天板及び前記底板に対する前記複数の支持板の移動を制限する、請求項１５に記載の支持部材。
【請求項１９】
前記天板、前記底板、及び前記複数の支持板が、恒久的に固定される、請求項１５に記載の支持部材。
【請求項２０】
前記天板、前記底板、及び前記複数の支持板が、互いに溶接される、請求項１９に記載の支持部材。
【発明の詳細な説明】
【技術分野】
【０００１】
本開示の実施形態は、エレベータシステムに関し、より詳細には、エレベータシステムの機械室に機械を取り付けるための台板に関する。
【背景技術】
【０００２】
エレベータかごの垂直移動は、通常、例えば、台板などの支持部材によってエレベータ昇降路の上部内に支持され得る駆動アセンブリによって駆動する。駆動アセンブリは一般に、両方とも台板の表面に取り付けられ得る、ギアレスモータ及びトラクションシーブから構成される巻上機を含む。モータによって発生する回転トルクは、トラクションシーブを駆動するために使用される。モータの回転方向に応じて、トラクションシーブにより、引張部材は、昇降路を介してエレベータかご及び釣合おもりを垂直に昇降させる。
【発明の概要】
【発明が解決しようとする課題】
【０００３】
従来のエレベータシステムでは、釣合おもりは、一般に、エレベータかごを中心としたエレベータかごの真後ろ、またはかごレールを中心としたエレベータかごの側方に配置される。しかし、古いエレベータシステムでは、一般に、かごレールの中央に配置される釣合おもりが、かごに対して中央に配置されていない、非対称のレイアウトを有し得る。既存の台板構造を使用して、これらの古いエレベータシステムを最新式にするためには、時間がかかり、かつ費用のかかる釣合おもりの再配置が必要である。
【課題を解決するための手段】
【０００４】
一実施形態によれば、エレベータシステムの複数の個別のデフレクタシーブを取り付けるためのデフレクタシーブ取り付けブラケットは、天板、底板、及び第１の端部で天板に連結され、反対側の第２の端部で底板に連結された複数の支持板を含む。複数のデフレクタシーブを受けるための複数の開口部は、複数の支持板の隣接する対の支持板の間に画定される。複数の開口部の少なくとも１つの開口部は、別の複数の開口部から垂直方向にオフセット及び水平方向にオフセットされる。
【０００５】
上述の特徴の１つまたは複数に加えて、または代替として、さらなる実施形態では、少なくとも１つの開口部は、複数の開口部の隣接する開口部から垂直方向にオフセットされ、水平方向にオフセットされる。
【０００６】
上述の特徴の１つまたは複数に加えて、または代替として、さらなる実施形態では、複数の開口部のそれぞれは、少しずつずれて配置される。
【０００７】
上述の特徴の１つまたは複数に加えて、または代替として、さらなる実施形態では、複数の支持板のそれぞれは、その中に形成された少なくとも１つの溝を含み、隣接する対の支持板の少なくとも１つの溝は、協働して複数の開口部を画定する。
【０００８】
上述の特徴の１つまたは複数に加えて、または代替として、複数の個別のデフレクタシーブを含むさらなる実施形態では、複数の個別のデフレクタシーブのそれぞれは、複数の開口部の１つの中に取り付けられる。
【０００９】
上述の特徴の１つまたは複数に加えて、または代替として、さらなる実施形態では、複数の個別のデフレクタシーブのそれぞれは、軸の周りを回転可能であり、複数の個別のデフレクタシーブの複数の軸は実質的に平行である。
【００１０】
上述の特徴の１つまたは複数に加えて、または代替として、さらなる実施形態では、複数の支持板は突出部を含み、天板及び底板は突出部を受けるための開口部を含む。
【００１１】
上述の特徴の１つまたは複数に加えて、または代替として、さらなる実施形態では、突出部は開口部に対して変形して、天板及び底板に対する複数の支持板の移動を制限する。
【００１２】
上述の特徴の１つまたは複数に加えて、または代替として、さらなる実施形態では、天板、底板、及び複数の支持板が恒久的に固定される。
【００１３】
上述の特徴の１つまたは複数に加えて、または代替として、さらなる実施形態では、天板、底板、及び複数の支持板は互いに溶接される。
【００１４】
別の実施形態によれば、エレベータシステムの機械室で使用するための支持部材は、かご端部及び釣合おもり端部を有する基部を含む。釣合おもり端部は、機械室の壁と実質的に平行に配置され、かご端部に対してある角度で配置される。複数の溝を有する第１のデフレクタシーブが、かご端部と概ね平行な向きで基部に取り付けられる。第１のデフレクタシーブは、第１の回転軸の周りを回転するように構成される。デフレクタシーブ取り付けブラケットは、基部に連結され、複数の個別の第２のデフレクタシーブを受けるための複数の開口部を画定する。複数の開口部は、かご端部に対する釣合おもり端部の角度に対して実質上、相補的に少しずつずれて配置される。複数の個別の第２のデフレクタシーブは、デフレクタシーブ取り付けブラケットの複数の開口部内に取り付けられる。複数の個別の第２のデフレクタシーブのそれぞれは、第１の回転軸と平行な第２の回転軸の周りを回転するように構成される。
【００１５】
上述の特徴の１つまたは複数に加えて、または代替として、さらなる実施形態では、複数の開口部のそれぞれは、複数の開口部の隣接する開口部から垂直方向にオフセットされ、水平方向にオフセットされる。
【００１６】
上述の特徴の１つまたは複数に加えて、または代替として、さらなる実施形態では、複数の個別の第２のデフレクタシーブのそれぞれは、軸の周りを回転可能であり、複数の個別の第２のデフレクタシーブの複数の軸は実質的に平行である。
【００１７】
上述の特徴の１つまたは複数に加えて、または代替として、さらなる実施形態では、複数の個別の第２のデフレクタシーブのそれぞれの軸は、第１の平面から垂直方向にオフセットされた、第１の平面または第２の平面内に配置される。
【００１８】
上述の特徴の１つまたは複数に加えて、または代替として、さらなる実施形態では、デフレクタシーブ取り付けブラケットは、天板、底板、第１の端部で天板に連結され、反対側の第２の端部で底板に連結された複数の支持板をさらに含み、複数の個別の第２のデフレクタシーブを受けるための複数の開口部は、複数の支持板の隣接する対の支持板の間に画定される。
【００１９】
上述の特徴の１つまたは複数に加えて、または代替として、さらなる実施形態では、複数の支持板のそれぞれは、その中に形成された少なくとも１つの溝を含み、隣接する対の支持板に形成された少なくとも１つの溝は、協働して複数の開口部を画定する。
【００２０】
上述の特徴の１つまたは複数に加えて、または代替として、さらなる実施形態では、複数の支持板は突出部を含み、天板及び底板は突出部を受けるための開口部を含む。
【００２１】
上述の特徴の１つまたは複数に加えて、または代替として、さらなる実施形態では、突出部は開口部に対して変形して、天板及び底板に対する複数の支持板の移動を制限する。
【００２２】
上述の特徴の１つまたは複数に加えて、または代替として、さらなる実施形態では、天板、底板、及び複数の支持板は恒久的に固定される。
【００２３】
上述の特徴の１つまたは複数に加えて、または代替として、さらなる実施形態では、天板、底板、及び複数の支持板は互いに溶接される。
【００２４】
本開示と見なされる主題は、本明細書の結びの特許請求の範囲に具体的に指摘しかつ明確に特許請求している。本開示の前述の及び他の特徴、ならびに利点は、添付の図面と併せて以下の詳細な説明から明らかである。
【図面の簡単な説明】
【００２５】
【図１】エレベータシステムの一例の断面図である。
【図２】一実施形態による、エレベータシステムの支持部材の斜視図である。
【図３】一実施形態による、エレベータシステムの支持部材の別の斜視図である。
【図４】一実施形態による、エレベータシステムの支持部材の代替斜視図である。
【図５】一実施形態による、エレベータシステムの支持部材の断面図である。
【図６】一実施形態による、エレベータシステムの支持部材の上面図である。
【図７】一実施形態による、複数の個別のシーブを含むデフレクタシーブブラケットの斜視図である。
【図８】一実施形態による、複数の個別のシーブが存在しないデフレクタシーブブラケットの別の斜視図である。
【図９Ａ】一実施形態による、図８のデフレクタシーブブラケットの様々な等角図である。
【図９Ｂ】一実施形態による、図８のデフレクタシーブブラケットの様々な等角図である。
【図９Ｃ】一実施形態による、図８のデフレクタシーブブラケットの様々な等角図である。
【００２６】
詳細な説明は、図面を参照しながら例として、本開示の実施形態を利点及び特徴と共に説明する。
【発明を実施するための形態】
【００２７】
ここで図１を参照すると、例示的なエレベータシステム２０が示されている。エレベータシステム２０は、複数のかごガイドレール２６に沿って複数の階の間で昇降路２２内を垂直に上方及び下方に移動するように構成されたエレベータかご２４を含む。エレベータかご２４の上部及び下部に取り付けられたガイドアセンブリ２８は、エレベータかご２４が昇降路２２内を移動するときに、エレベータかご２４の適切な配置を維持するために、かごガイドレール２６と係合するように構成される。
【００２８】
エレベータシステム２０はまた、昇降路２２内で垂直に上方及び下方に移動するように構成された釣合おもり３０を含む。本明細書で使用される釣合おもり３０という用語は、当業者には理解されるように、それ自体、様々な構成要素を含み得る釣合おもりアセンブリを含む。釣合おもり３０は、従来のエレベータシステムで知られているように、エレベータかご２４の動きと、概ね反対方向に移動する。釣合おもり３０の移動は、昇降路２２内に取り付けられた釣合おもりガイドレール（図示せず）によって案内される。例示される非限定的な実施形態では、エレベータかご２４及び釣合おもり３０はそれぞれ、張力部材３６及び駆動機械４０に取り付けられたトラクションシーブ３８と協働してエレベータかご２４を昇降させる、シーブアセンブリ３２、３４を含む。例示される非限定的な実施形態では、駆動機械４０は、平形引張部材３６と共に使用するのに適した大きさである。図１に示すシーブアセンブリ３２は、エレベータシステム２０が吊り下げ構造を有するように、エレベータかご２４の底部に取り付けられる。しかし、シーブアセンブリ３２は、例えば、エレベータかご２４の上部、すなわち、上架式構成のようにエレベータかご２４の別の場所に取り付けられ得るか、または当業者によって認識されるようにシステム２０内の他の場所に取り付けられ得る。
【００２９】
例示的なエレベータシステム２０の駆動機械４０は、昇降路２２の一部または機械室で、例えば、台板などの支持部材５０の上の取り付け位置に位置決めされて支持される。本明細書に例示及び記載されているエレベータシステム２０は、吊り下げ式２：１ローピング構成を有するが、他のローピング構成及び昇降路レイアウトを有するエレベータシステム２０も本開示の範囲内である。
【００３０】
ここで図２〜図６を参照すると、エレベータシステム２０の支持部材５０がより詳細に示される。概ね長方形の支持部材５０は、第１のかご端部５２及び、かご端部５２の反対側に位置する第２の釣合おもり端部５８を含む。第１の連結部材６４は、かご端部５２の第１の側部５４を、釣合おもり端部５８の第１の側部６０に結合し、第２の連結部材６６は、かご端部５２の第２の側面５６を、釣合おもり端部５８の第２の側面６２に結合する。釣合おもり端部５８は、かご端部５２の第１の側部５４と釣合おもり端部５８の第１の側部６０との間の距離が、かご端部５２の第２の側面５６と釣合おもり端部５８の第２の側面６２との間の距離よりも小さくなるように、かご端部５２に対して角度θで配置される。かご端部５２に対する釣合おもり端部５８の角度は、図６に例示される支持部材５０の上面図に最も明確に示される。一実施形態では、かご端部５２に対する釣合おもり端部５８の角度θは、０度よりも大きく４０度までの範囲内にある。その結果、第１の連結部材６４は、一般に第２の連結部材６６よりも長さが短い。さらに、図示されるように、支持部材５０の釣合おもり端部５８は、支持部材５０のかご端部５２が昇降路２２の中央部分及び／または機械室の近くに配置されるように、例えば、昇降路２２のコーナに隣接するように、昇降路２２または機械室の壁に実質的に平行に取り付けられるように構成される。
【００３１】
知られているように、引張部材３６の対向する端部は、終端部ヒッチ７０及び７２でエレベータシステム２０内で終端する。複数の終端部ヒッチ７０は、それぞれ複数の引張部材３６の１つのかご側部３６ａ（図４）に連結するように構成されており、かご端部５２に隣接する支持部材５０の上面６８に取り付けられる。釣合おもり終端部ヒッチ７２は、それぞれ複数の引張部材３６の１つの釣合おもり側３６ｂ（図２）を受けるように構成されており、釣合おもり端部５８で支持部材５０の上面６８の周囲に同様に取り付けられる。例示される非限定的な実施形態では、かご側及び釣合おもり側の終端部ヒッチ７０、７２は、支持部材５０の上面６８の上方に垂直に間隔を置いて配置される。しかし、他の実施形態では、終端部ヒッチ７０、７２は、上面に取り付けられ得るか、または支持部材５０の底面５９の下方向に、昇降路２２まで延長し得る。一実施形態では、引張部材３６のかご側及び／または釣合おもり側３６ａ、３６ｂに動作可能に結合された引張部材監視装置７４を、かご終端部ヒッチ７０の後方などの支持部材５０に連結し得る（図２）。
【００３２】
回転軸Ｒの周りを回転するように構成された駆動機械４０は、支持部材５０のかご端部５２の近くに、それと実質的に平行な向きで取り付けられる。例示される非限定的な実施形態では、駆動機械４０は、支持部材５０の上面６８に取り付けられているが、駆動機械４０は、例えば、支持部材５０の中空内部５１内など、支持部材５０の周囲の別の場所に配置され得る。駆動機械４０のシャフトと同心に取り付けられたトラクションシーブ３８（図１）は、複数の溝（図示せず）を含み、各溝は複数の引張部材３６の１つを受けるように構成される。一実施形態では、トラクションシーブ３８及び機械４０は、トラクションシーブ３８の溝が、かごシーブ３２（図１）の対応する溝（図示せず）と概ね整列するように位置決めされる。
【００３３】
複数の溝７８及び回転軸Ｓを有するデフレクタシーブ７６（図５に最もよく示されている）は、駆動機械４０と平行に支持部材５０に取り付けられる。例示される非限定的な実施形態では、デフレクタシーブ７６は、引張部材３６がトラクションシーブ３８とデフレクタシーブ７６との間で概ね垂直に延びるように、機械４０に隣接して支持部材５０の中空内部５１に配置される。デフレクタシーブ７６及び機械４０は、デフレクタシーブ７６の円周の一部が、トラクションシーブ３８の円周の一部と実質的に同一平面上にあるように配置され得る。さらに、デフレクタシーブ７６の複数の溝７８のそれぞれは、トラクションシーブ３８の複数の溝の１つと概ね水平方向に整列する。例示される実施形態では、引張部材３６は、トラクションシーブ３８の円周の約半分でトラクションシーブ３８と接触するように構成される。
【００３４】
複数の実質的に同一の個別のデフレクタシーブ８０が、釣合おもり側部５８に隣接して支持部材５０に取り付けられる。各個別のデフレクタシーブ８０は、エレベータシステム２０の複数の引張部材３６の１つを受けるように構成された単一の溝８２を有する。個別のデフレクタシーブ８０は、支持部材５０の中空内部５１内に取り付けられ得る。
【００３５】
個別のデフレクタシーブ８０のそれぞれは、第１の回転軸Ｔの周りを回転するように構成される。複数の個別のデフレクタシーブ８０の第１の回転軸Ｔは、互いに実質的に平行であり、駆動機械４０の回転軸Ｒ及びデフレクタシーブ７６の回転軸Ｓと概ね平行である。複数の個別のデフレクタシーブ８０のそれぞれは、デフレクタシーブ７６の対応する溝７８と概ね整列する。個別のデフレクタシーブ８０は、各デフレクタシーブ８０とそれに関連する隣接する釣合おもり終端部ヒッチ７２との間の距離が、実質的に同じになるように少しずつずれて（ｓｔａｇｇｅｒｅｄ）配置される。その結果、デフレクタシーブ７６と個々のデフレクタシーブ８０のそれぞれとの間の距離は、釣合おもり端部５８の第１の側部６０から釣合おもり端部５８の第２の側面６２に向かって徐々に長くなる。
【００３６】
デフレクタシーブ７６の円周の約４分の１と個別のデフレクタシーブ８０の円周の約４分の１とを巻き付けた後、引張部材３６は、釣合おもり２８に取り付けられたデフレクタシーブ３４に対して垂直に延び、次いで、支持部材５０に戻って終端部ヒッチ７２に連結する。デフレクタシーブ８０は、釣合おもりシーブ３４の溝（図示せず）と概ね整列する。一実施形態では、釣合おもり上の個別のデフレクタシーブ８０及び釣合おもりシーブ３４は、各デフレクタシーブ８０の円周の一部が、釣合おもりシーブ３４の円周の一部と実質的に同一平面上にあるように配置される。支持部材５０は、複数の個別のデフレクタシーブ８０と共に記載されているが、いくつかのデフレクタシーブ８０のみが、引張部材３６を受けるエレベータシステムも本開示の範囲内である。
【００３７】
ここで図７〜図９を参照すると、複数のデフレクタシーブ８０の取り付け構成がより詳細に示されている。例示される非限定的な実施形態では、複数のデフレクタシーブ８０は、例えば、支持部材５０の中空内部５１内に位置決め可能であり得るデフレクタシーブ取り付けブラケット１００を介して支持部材５０に取り付けられる。図示されるように、デフレクタシーブ取り付けブラケット１００は、天板１０４及び底板１０６によって連結された複数の支持板１０２を含む。例示される非限定的な実施形態では、複数の支持板１０２は、概ね垂直に配向されており、天板１０４及び底板１０６は、概ね水平に配向されている。しかし、支持板１０２ならびに天板１０４及び底板１０６が、別の構成を有する実施形態も本明細書で企図される。
【００３８】
各支持板１０２は、回転可能なデフレクタシーブ８０を受けるために、その中に形成された少なくとも１つの細長い溝または切欠き１０８を有する。図示されるように、支持板１０２は、その中に形成された同一の整列した溝を有する対で概ね配置される。したがって、対の板１０２間の距離は、デフレクタシーブ８０の幅に対応する。デフレクタシーブ８０を取り付けブラケット１００に結合するために、対応する支持板１０２と重なり合う配置で、キーパー板１０７をデフレクタシーブ８０の各側部に隣接して配置し得る。
【００３９】
さらに、デフレクタシーブ取り付けブラケット１００は、第１の水平面内及び第１の水平面から垂直にオフセットされた第２の水平面内などの複数の位置で複数のデフレクタシーブ８０を位置決めするように構成される。図７に示すように、隣接する対の支持板１０２は、第１の水平面と第２の水平面との間に取り付けられたデフレクタシーブ８０の位置を互い違いにするか、または少しずつずれて配置するように構成し得る。例えば、第１及び第２の板１０２ａ、１０２ｂは協働して、天板１０４に概ね隣接する第１の平面内でデフレクタシーブ８０ａを支持し、第２及び第３の板１０２ｂ、１０２ｃは協働して、第１の平面に平行で、かつ底板１０６に概ね隣接する第２の平面内でデフレクタシーブ８０ｂを支持する。第３及び第４の板１０２ｃ、１０２ｄは協働して、天板１０４に概ね隣接する第１の平面内でデフレクタシーブ８０ｃを支持する。さらに、図に示すように、ブラケットの第１の側面１１０からデフレクタシーブ取り付けブラケット１００の第２の反対側面１１２まで延びる各連続板１０２は、デフレクタシーブ取り付けブラケット１００の後部からデフレクタシーブ取り付けブラケット１００の前部までの測定により、徐々に長くなり得る。その結果、隣接する対の板１０２間に取り付けられた各デフレクタシーブ８０は、垂直方向にオフセットされるだけでなく、隣接するデフレクタシーブ８０から水平方向にもオフセットされる。デフレクタシーブ８０のそれぞれの間で垂直及び水平の平行度を維持することにより、複数のデフレクタシーブ８０に対する複数の引張部材３６の適切な追従性が向上する。
【００４０】
デフレクタシーブ取り付けブラケット１００を組み立てるために、複数の支持板１０２が、天板１０４及び底板１０６に連結される。天板１０４及び底板１０６は、支持部材５０の一部であり得ることを理解されたい。一実施形態では、複数の支持板１０２、天板１０４、及び底板１０６のそれぞれには、複数の開口部１２０及び／または対応するタブもしくは突出部１２２が形成される。支持板１０２から延びているような突出部１２２は、天板１０４及び底板１０６に形成された開口部１２０内に受け可能である。天板１０４または底板１０６の隣接する表面に対して平行に突出部１２２を曲げることなどによって突出部１２２を変形させることにより、天板１０４及び底板１０６からの支持板１０２の分離をさらに制限し得る。組み立てられると、支持板１０２、天板１０４、及び底板１０６は、その後、例えば、溶接作業などによって恒久的に固定される。
【００４１】
恒久的に組み立てられた後、例えば、粉末コーティングなどのコーティングをデフレクタシーブ取り付けブラケット１００に塗布して、デフレクタシーブ取り付けブラケット１００のさび及び他の劣化または摩耗を防止し得る。次いで、複数の溝１０８をさらに機械加工して複数のデフレクタシーブ８０の適切な位置合わせを確実にし、次いで、デフレクタシーブ８０を溝１０８の全部または一部に取り付け得る。１つまたは複数の対の支持板１０２が、デフレクタシーブ８０を含まない協働溝１０８を含む実施形態では、空の溝は通常、取り付けブラケット１００の第１の側面１１０または第２の側面１１２のいずれかに隣接して配置される。その結果、複数のデフレクタシーブ８０のそれぞれは、デフレクタシーブ８０を含む別の１対の支持板１０２に直接隣接する１対の支持板１０２で、デフレクタシーブ取り付けブラケット１００に取り付けられる。
【００４２】
支持部材５０の釣合おもり側５８を隣接する昇降路壁（図５）と実質的に平行に配置することによって、支持部材５０を機械室の床に容易に取り付け得る。支持部材５０は、デフレクタシーブ７６、個別のデフレクタシーブ８０、終端部ヒッチ７０、７２、及び引張部材監視システムなどの追加の構成要素を含めて、部分的にまたは完全に組み立てて出荷し得る。さらに、支持部材５０が機械室に取り付けられると、結合された駆動機械４０及びトラクションシーブ３８などの組み立てが完成し得る。
【００４３】
本開示は限られた数の実施形態のみに関連して詳細に説明されているが、本開示はそのような開示された実施形態に限定されないことが容易に理解されるべきである。むしろ、本開示は、これまで説明されていないが、本開示の趣旨及び範囲に相応する、任意の数の変形形態、代替形態、置換形態、または等価の構成を組み込むように修正することができる。さらに、本開示の様々な実施形態が説明されてきたが、本開示の態様は説明された実施形態のいくつかのみを含み得ることを理解されたい。したがって、本開示は、前述の説明によって限定されると見なされるべきではなく、添付の特許請求の範囲によってのみ限定される。
【図１】
2019131401.tif 000003
【図２】
2019131401.tif 000004
【図３】
2019131401.tif 000005
【図４】
2019131401.tif 000006
【図５】
2019131401.tif 000007
【図６】
2019131401.tif 000008
【図７】
2019131401.tif 000009
【図８】
2019131401.tif 000010
【図９Ａ】
2019131401.tif 000011
【図９Ｂ】
2019131401.tif 000012
【図９Ｃ】
2019131401.tif 000013